(57)【要約】【課題】ＣＭＹＫデータファイルをＲＧＢデータファイルに自動で変換し、データ変換する際の煩雑さを解消すると共にその作業効率を向上することができる、画像変換システムを提供する。【解決手段】ＣＭＹＫデータファイルＣから基準ＲＧＢデータファイルＲへ変換するための色変換テーブルを記憶するデータベース５と、複数のＣＭＹＫデータファイルＣの入力を受けるための入力部４と、入力されたＣＭＹＫデータファイルＣのファイル名から抽出した識別子に基づいて、データベース５から関連する色変換テーブルを選択する色変換テーブル選択部６と、その選択された色変換テーブルを用い、ＣＭＹＫデータファイルＣを基準ＲＧＢデータファイルＲに変換して出力する出力部７と、を備える。【選択図】図１
2006333173.tif 000002
【特許請求の範囲】
【請求項１】
異なる印刷機に関して生成された複数のＣＭＹＫデータファイルを、基準となるディスプレイにおける基準ＲＧＢデータファイルに変換するためのシステムであって、
前記複数のＣＭＹＫデータファイル毎に予め備えられた、当該ＣＭＹＫデータファイルから前記基準ＲＧＢデータファイルへ変換するための色変換テーブルを記憶するデータベースを有し、
前記複数のＣＭＹＫデータファイルは、それぞれそのファイル名中に、対応する前記色変換テーブルに関連付けるための識別子を含んでおり、更に、
前記複数のＣＭＹＫデータファイルの入力を受けるための入力部と、
前記入力部に入力された前記ＣＭＹＫデータファイルのファイル名から前記識別子を抽出し、その識別子に基づいて、前記データベースから関連する前記色変換テーブルを選択する色変換テーブル選択部と、
前記色変換テーブル選択部によって選択された前記色変換テーブルを用い、前記ＣＭＹＫデータファイルを前記基準ＲＧＢデータファイルに変換して出力する出力部と、
を備えていることを特徴とする画像変換システム。
【請求項２】
前記複数のＣＭＹＫデータファイルはそれぞれ、そのファイル形式を示す文字列を有し、かつ、変換対象外のデータファイルと共に階層構造を形成しつつ第１のフォルダ内に格納されており、
前記入力部が前記第１のフォルダの入力を受けたとき、そのフォルダ内の全データファイルを解析し、前記文字列を含むデータファイルを、変換すべきＣＭＹＫデータファイルとして選択する変換対象選択部を更に備え、
前記色変換テーブル選択部は、前記変換対象選択部によって選択された前記ＣＭＹＫデータファイルのファイル名から前記識別子を抽出し、その識別子に基づいて、前記データベースから関連する前記色変換テーブルを選択し、
前記出力部は、前記色変換テーブル選択部によって選択された前記色変換テーブルを用い、前記変換対象選択部によって選択されたＣＭＹＫデータファイルを前記基準ＲＧＢデータファイルに変換し、かつ、前記第１のフォルダにおける前記ＣＭＹＫデータファイルを前記基準ＲＧＢデータファイルに置き換えたものからなる第２のフォルダを出力することを特徴とする請求項１に記載の画像変換システム。
【請求項３】
異なる印刷機に関して生成された複数のＣＭＹＫデータファイルを、基準となるディスプレイにおける基準ＲＧＢデータファイルに変換するためのプログラムであって、コンピュータに対し、
（Ａ）それぞれそのファイル名中に、前記基準ＲＧＢデータファイルへ変換する色変換テーブルに関連付けるための識別子を含んだ複数のＣＭＹＫデータファイルの入力を受ける手順と、
（Ｂ）入力を受けた前記ＣＭＹＫデータファイルのファイル名から前記識別子を抽出し、その識別子に基づいて、前記色変換テーブルが予め格納されたデータベースから、関連する色変換テーブルを選択する手順と、
（Ｃ）選択した色変換テーブルを用い、前記ＣＭＹＫデータファイルを前記基準ＲＧＢデータファイルに変換して出力する手順と、
を実行させることを特徴とする画像変換プログラム。
【請求項４】
異なる印刷機に関して生成された複数のＣＭＹＫデータファイルを、基準となるディスプレイにおける基準ＲＧＢデータファイルに変換するためのプログラムであって、変換すべき複数のＣＭＹＫデータファイルはそれぞれ、そのファイル形式を示す文字列を有し、かつ、そのファイル名中に前記基準ＲＧＢデータファイルへ変換する色変換テーブルに関連付けるための識別子を有しており、変換対象外のデータファイルと共に階層構造を形成しつつ第１のフォルダ内に格納されている場合に、前記プログラムが、コンピュータに対し、
（Ｄ）前記第１のフォルダの入力を受ける手順と、
（Ｅ）入力を受けた前記第１のフォルダ内の全データファイルを解析し、前記文字列を含むデータファイルを、変換すべきＣＭＹＫデータファイルとして選択する手順と、
（Ｆ）選択した前記ＣＭＹＫデータファイルのファイル名から前記識別子を抽出し、その識別子に基づいて、前記色変換テーブルが予め格納されたデータベースから、関連する色変換テーブルを選択する手順と、
（Ｇ）選択した色変換テーブルを用い、前記ＣＭＹＫデータファイルを前記基準ＲＧＢデータファイルに変換し、かつ、前記第１のフォルダにおける前記ＣＭＹＫデータファイルを当該基準ＲＧＢデータファイルに置き換えたものからなる第２のフォルダを出力する手順と、
を実行させることを特徴とする画像変換プログラム。
【発明の詳細な説明】
【技術分野】
【０００１】
本発明は、異なる印刷機に関して生成された複数のＣＭＹＫデータファイルを、基準となるディスプレイにおける基準ＲＧＢデータファイルに変換するための画像変換システムおよびプログラムに関する。  
【背景技術】
【０００２】
近年、例えばカタログ通信販売の業界などでは、カタログ等の印刷物制作に使用した画像データファイルをディスプレイ表示するための画像データファイルに変換し、インターネットのホームページ等に掲載する場合が多々ある。
【０００３】
一般に、印刷機に関する画像データファイルは、ＣＭＹＫ（Ｃｙａｎ、 Ｍａｇｅｎｔａ、 Ｙｅｌｌｏｗ、Ｂｌａｃｋ）表色系によって表現され、ディスプレイに関する画像データファイルは、ＲＧＢ（Ｒｅｄ、 Ｇｒｅｅｎ、 Ｂｌｕｅ）表色系によって表現されているため、印刷機に関して生成された画像データファイルによる色をディスプレイ上で正確に表現するには、画像データファイルをディスプレイの特性に合わせてデータ変換する必要がある。
【０００４】
このようなデータ変換の方法としては、印刷機およびディスプレイそれぞれの特性を示すプロファイルに基づき、変換前後の画像データの対応関係を規定した色変換テーブルを使用する方法が、現在広く用いられている。
【特許文献１】特開２００１−３１３８４２号公報
【特許文献２】特開２００２−２３７９５８号公報
【発明の開示】
【発明が解決しようとする課題】
【０００５】
ところで、カタログ等の印刷物を制作する場合、印刷物を複数の部分に分け、各部分を異なる印刷業者に発注し、各業者から納品されたものを集めて所期の印刷物を得るケースがある。この場合、各印刷業者によって使用される印刷機は通常異なるため、上記色変換テーブルは印刷業者ごとに必要となる。また、同一の印刷業者であっても、使用する印刷機が複数あれば、色変換テーブルはそれぞれ必要となるため、必然的に、使用する色変換テーブルの数は多くなっていた。従来、この色変換テーブルの選択はオペレータの手作業によってなされていたため、その作業は非常に煩雑であり、多くの時間を費やす共に変換ミスを招いていた。
【０００６】
本発明は上記事情に鑑みてなされたものであり、その目的とするところは、ＣＭＹＫ表色系によるデータファイルを、ＲＧＢ表色系によるデータファイルに自動で変換し、データ変換する際の煩雑さを解消すると共にその作業効率を向上することができる画像変換システムおよびプログラムを提供することにある。
【課題を解決するための手段】
【０００７】
上記課題を解決するために本発明は、異なる印刷機に関して生成された複数のＣＭＹＫデータファイルを、基準となるディスプレイにおける基準ＲＧＢデータファイルに変換するためのシステムであって、前記複数のＣＭＹＫデータファイル毎に予め備えられた、当該ＣＭＹＫデータファイルから前記基準ＲＧＢデータファイルへ変換するための色変換テーブルを記憶するデータベースを有し、前記複数のＣＭＹＫデータファイルは、それぞれそのファイル名中に、対応する前記色変換テーブルに関連付けるための識別子を含んでおり、更に、前記複数のＣＭＹＫデータファイルの入力を受けるための入力部と、前記入力部に入力された前記ＣＭＹＫデータファイルのファイル名から前記識別子を抽出し、その識別子に基づいて、前記データベースから関連する前記色変換テーブルを選択する色変換テーブル選択部と、前記色変換テーブル選択部によって選択された前記色変換テーブルを用い、前記ＣＭＹＫデータファイルを前記基準ＲＧＢデータファイルに変換して出力する出力部と、を備えている。
【０００８】
上記構成において、前記複数のＣＭＹＫデータファイルはそれぞれ、そのファイル形式を示す文字列を有し、かつ、変換対象外のデータファイルと共に階層構造を形成しつつ第１のフォルダ内に格納されており、前記入力部が前記第１のフォルダの入力を受けたとき、そのフォルダ内の全データファイルを解析し、前記文字列を含むデータファイルを、変換すべきＣＭＹＫデータファイルとして選択する変換対象選択部を更に備え、前記色変換テーブル選択部は、前記変換対象選択部によって選択された前記ＣＭＹＫデータファイルのファイル名から前記識別子を抽出し、その識別子に基づいて、前記データベースから関連する前記色変換テーブルを選択し、前記出力部は、前記色変換テーブル選択部によって選択された前記色変換テーブルを用い、前記変換対象選択部によって選択されたＣＭＹＫデータファイルを前記基準ＲＧＢデータファイルに変換し、かつ、前記第１のフォルダにおける前記ＣＭＹＫデータファイルを前記基準ＲＧＢデータファイルに置き換えたものからなる第２のフォルダを出力するのが好ましい。
【０００９】
また、上記課題を解決するために本発明は、異なる印刷機に関して生成された複数のＣＭＹＫデータファイルを、基準となるディスプレイにおける基準ＲＧＢデータファイルに変換するためのプログラムであって、コンピュータに対し、
（Ａ）それぞれそのファイル名中に、前記基準ＲＧＢデータファイルへ変換する色変換テーブルに関連付けるための識別子を含んだ複数のＣＭＹＫデータファイルの入力を受ける手順と、
（Ｂ）入力を受けた前記ＣＭＹＫデータファイルのファイル名から前記識別子を抽出し、その識別子に基づいて、前記色変換テーブルが予め格納されたデータベースから、関連する色変換テーブルを選択する手順と、
（Ｃ）選択した色変換テーブルを用い、前記ＣＭＹＫデータファイルを前記基準ＲＧＢデータファイルに変換して出力する手順と、を実行させる。
【００１０】
また、上記課題を解決するために本発明は、上記異なる印刷機に関して生成された複数のＣＭＹＫデータファイルを、基準となるディスプレイにおける基準ＲＧＢデータファイルに変換するためのプログラムであって、変換すべき複数のＣＭＹＫデータファイルはそれぞれ、そのファイル形式を示す文字列を有し、かつ、そのファイル名中に前記基準ＲＧＢデータファイルへ変換する色変換テーブルに関連付けるための識別子を有しており、変換対象外のデータファイルと共に階層構造を形成しつつ第１のフォルダ内に格納されている場合に、前記プログラムが、コンピュータに対し、
（Ｄ）前記第１のフォルダの入力を受ける手順と、
（Ｅ）入力を受けた前記第１のフォルダ内の全データファイルを解析し、前記文字列を含むデータファイルを、変換すべきＣＭＹＫデータファイルとして選択する手順と、
（Ｆ）選択した前記ＣＭＹＫデータファイルのファイル名から前記識別子を抽出し、その識別子に基づいて、前記色変換テーブルが予め格納されたデータベースから、関連する色変換テーブルを選択する手順と、
（Ｇ）選択した色変換テーブルを用い、前記ＣＭＹＫデータファイルを前記基準ＲＧＢデータファイルに変換し、かつ、前記第１のフォルダにおける前記ＣＭＹＫデータファイルを当該基準ＲＧＢデータファイルに置き換えたものからなる第２のフォルダを出力する手順と、を実行させる。
【発明の効果】
【００１１】
上記のように構成された本発明の画像変換システムおよびプログラムによれば、変換すべきＣＭＹＫデータファイルが入力部に入力されると、自動的に、そのファイル名中の識別子に基づいて対応する色変換テーブルが選択され、それを用いて当該ＣＭＹＫデータファイルが基準ＲＧＢデータファイルに確実に変換されるため、データ変換する際の煩雑さを解消すると共に変換ミスを防止し、その作業効率を向上することができる。
【００１２】
なお、変換すべきＣＭＹＫデータファイルが変換対象外のファイルと共にフォルダ内に格納されており、そのフォルダからＣＭＹＫデータファイルのみを選択してデータ変換し、、更に、上記フォルダにおけるＣＭＹＫデータファイルを変換後の基準ＲＧＢデータファイルに置き換えたものからなる別のフォルダを出力するようにした場合は、変換対象のファイルをオペレータが逐一選択する必要がない。また、入力されたフォルダ内のファイル構成に準じて、変換後の基準ＲＧＢデータファイルを含んだフォルダを出力することができるため、変換後に再度フォルダ内のファイルを整理する必要がない。
【発明を実施するための最良の形態】
【００１３】
［実施形態１］
以下、図面を参照して本発明の好ましい一実施形態につき説明する。図１は、本実施形態にかかる画像変換システムの構成を概略的に示すブロック図である。
【００１４】
図１に示すように、画像変換システム１は、印刷機２に関して生成されたＣＭＹＫデータファイルＣを、基準となるディスプレイ３における基準ＲＧＢデータファイルＲに変換するためのシステムであり、入力部４、データベース５、色変換テーブル選択部６および出力部７を備えてなるものである。
そして、この画像変換システム１は、例えばパーソナルコンピュータ等のコンピュータシステムによって実現される。
【００１５】
入力部４は、図１に示すように、変換すべきＣＭＹＫデータファイルＣの入力を受けるためのものであり、例えば、変換すべき上記データファイルがＣＤ−ＲＯＭに格納されている場合には、コンピュータのＣＤ−ＲＯＭドライブおよびそれによって読み取られたデータが保存されるフォルダから構成される。
【００１６】
データベース５は、変換すべきＣＭＹＫデータファイルＣを、基準ＲＧＢデータファイルＲに変換するための色変換テーブルＴを格納するものである。
ここで、色変換テーブルＴは、周知の技術によって予め作成されたものであり、ＣＭＹＫデータファイルＣに関する印刷機２の色特性を示すプロファイルと、基準となるディスプレイ３の色特性を示すプロファイルとに基づき、変換前後の画像データの対応関係を規定したものである。
従って、印刷機２の色特性が異なるごとに色変換テーブルＴが存在し、それぞれがデータベース５に格納されている。
【００１７】
色変換テーブル選択部６は、入力部４に入力された変換すべきＣＭＹＫデータファイルＣに対応する色変換テーブルＴを、データベース５から選択するものである。ここで、変換すべきＣＭＹＫデータファイルＣのファイル名には、そのファイルに関する印刷機２に対して割り当てられた識別子Ｓが付与されている。従って、同じ色特性を有する印刷機２に関して生成されたＣＭＹＫデータファイルＣは、そのファイル名中に同じ識別子Ｓを含んでいることになる。色変換テーブル選択部６は、この識別子Ｓに基づいて、データベース５から対応する色変換テーブルＴを選択する。具体的には、識別子Ｓと色変換テーブルＴとの対応関係を規定した参照テーブルＳＴがデータベース５に格納されており、色変換テーブル選択部６は、この参照テーブルＳＴに基づいて、色変換テーブルＴを選択する。
【００１８】
出力部７は、色変換テーブル選択部６によって選択された色変換テーブルＴを用い、入力部４に入力されたＣＭＹＫデータファイルＣを基準ＲＧＢデータファイルＲに変換し、例えばコンピュータ上のフォルダ内（出力フォルダ）に出力する。
【００１９】
次に、上記のように構成された画像変換システム１による画像変換方法について、具体的に説明する。図２は、上記画像変換方法のフロー図であり、図３は、識別子Ｓと色変換テーブルＴとの対応関係を規定する参照テーブルＳＴを示す図である。
【００２０】
まず、入力部４が変換すべきＣＭＹＫデータファイルＣの入力を受ける（Ｓ１）。ここで、入力されたＣＭＹＫデータファイルＣのファイル名は「ｉｍａｇｅ０１ＡＡ」であり、下位２ビットの「ＡＡ」が識別子Ｓである。すなわち、このＣＭＹＫデータファイルＣは、識別子「ＡＡ」が割り当てられた印刷機２に関して生成されたものである。
【００２１】
入力部４がＣＭＹＫデータファイルＣの入力を受けると、色変換テーブル選択部６は、そのファイル名「ｉｍａｇｅ０１ＡＡ」中の識別子「ＡＡ」を抽出し、データベース５に格納されている上記参照テーブルＳＴ（図３）を用いて、対応する色変換テーブルＴＡＡを選択する（Ｓ２）。
【００２２】
そして、出力部７が、上記選択された色変換テーブルＴＡＡを用い、上記ＣＭＹＫデータファイルＣを基準ＲＧＢデータファイルＲにデータ変換し、出力する（Ｓ３）。
【００２３】
上記のように構成された画像変換システム１によれば、変換すべきＣＭＹＫデータファイルＣは、入力部４に入力されると、そのファイル名中の識別子Ｓが抽出されると共に参照テーブルＳＴに基づいて対応する色変換テーブルＴが選択され、それを用いて基準ＲＧＢデータファイルＲに確実に変換される。従って、オペレータが手作業によって、対応する色変換テーブルＴを逐一選択する煩雑さを解消すると共に変換ミスを防止し、その作業効率を向上することができる。
【００２４】
［実施形態２］
次に、図面を参照して本発明の好ましい別の実施形態につき説明する。図４は、本実施形態にかかる画像変換システム１１の構成と、変換すべきＣＭＹＫデータファイルＣを含んだフォルダＦＩと、変換後の基準ＲＧＢデータファイルＲを含んだフォルダＦＯとを概略的に示すブロック図であり、図５は、フォルダＦＩ内の階層構造を示す図である。なお、上述の実施形態１と同様の作用を有する要素については、同一の符号を付し（図４）、以下、実施形態１と異なる部分についてのみ説明する。
【００２５】
まず、画像変換システム１１の構成について説明する。図４に示すように、画像変換システム１１は、印刷機２に関して生成された複数のＣＭＹＫデータファイルＣを含むフォルダＦＩから、当該ＣＭＹＫデータファイルＣのみを選択し、基準となるディスプレイ３における基準ＲＧＢデータファイルＲにそれぞれ変換すると共にフォルダＦＯに格納して出力するためのシステムであり、入力部４、変換対象選択部８、データベース５、色変換テーブル選択部６および出力部７を備えてなるものである。
【００２６】
入力部４は、図４に示すように、変換すべきＣＭＹＫデータファイルＣと、変換対象外であるファイルＸとを含んだフォルダＦＩの入力を受け得るよう、構成されている。
ここで、フォルダＦＩは、図５に示すように、下位フォルダｆ１，ｆ２を備え、それらの中に変換すべきＣＭＹＫデータファイルＣを複数有していると共に、その直下に変換対象外であるファイルＸを複数有している。更に、本実施形態においては、変換対象であるＣＭＹＫデータファイルＣのファイル形式は「ＪＰＥＧ」または「ＴＩＦＦ」である。なお、この変換対象外のファイルＸは、例えば通信販売カタログに関するレイアウトデータ、テキストデータおよびベクトルデータ等が該当する。
【００２７】
変換対象選択部８は、入力部４がフォルダＦＩの入力を受けたとき、そのフォルダ内の全ファイルを公知のファイル解析ツールを用いて解析し、そのファイル形式が変換対象のファイル形式であるか否かによって、変換すべきＣＭＹＫデータファイルＣを特定し選択する。
具体的には、本実施形態の変換対象である「ＪＰＥＧ」形式のＣＭＹＫデータファイルＣは、その解析後に得られるダンプリスト等の解析リストの先頭に文字列「ＦＦＤ８」、末尾に文字列「ＦＦＤ９」を必ず有しているため、それら文字列を検出すれば、そのファイルは変換対象であると判定する。同様に、「ＴＩＦＦ」形式のＣＭＹＫデータファイルＣは、その解析リストの先頭に文字列「４Ｄ４Ｄ００２Ａ」または「４９４９００２Ａ」を必ず有しており、いずれかの文字列を検出すれば、そのファイルは変換対象であると判定する。
【００２８】
色変換テーブル選択部６は、変換対象選択部８によって選択された、変換すべきＣＭＹＫデータファイルＣそれぞれに対応する色変換テーブルＴを、データベース５から選択する。
【００２９】
出力部７は、色変換テーブル選択部６によって選択された色変換テーブルＴを用い、色変換対象選択部８によって選択された変換すべきＣＭＹＫデータファイルＣを、基準ＲＧＢデータファイルＲにデータ変換する。そして、フォルダＦＩにおけるＣＭＹＫデータファイルＣをＲＧＢデータファイルＲに置き換えたものからなるフォルダＦＯを出力する。
【００３０】
次に、上記のように構成された画像変換システム１１による画像変換方法について、具体的に説明する。図６は、上記画像変換方法のフロー図である。
【００３１】
まず、入力部４が、上記フォルダＦＩの入力を受ける（Ｓ１）。ここで、入力されたフォルダＦＩの下位フォルダｆ１に含まれるＣＭＹＫデータファイルＣは「ＪＰＥＧ」および「ＴＩＦＦ」形式のファイルであり、そのファイル名はいずれも、下位２ビットを識別子「ＢＡ」とした「ｉｍａｇｅ０１ＢＡ」、「ｉｍａｇｅ０２ＢＡ」である。すなわち、これらのＣＭＹＫデータファイルＣは、識別子「ＢＡ」が割り当てられた印刷機２に関して生成されたものである。
一方、下位フォルダｆ２に含まれるＣＭＹＫデータファイルＣは「ＪＰＥＧ」および「ＴＩＦＦ」形式のファイルであり、そのファイル名はいずれも、下位２ビットを識別子「ＢＢ」とした「ｉｍａｇｅ０３ＢＢ」、「ｉｍａｇｅ０４ＢＢ」である。すなわち、これらのＣＭＹＫデータファイルＣは、識別子「ＢＢ」が割り当てられた印刷機２に関して生成されたものである。
【００３２】
入力部４がフォルダＦＩの入力を受けると、変換対象選択部８は、公知のファイル解析ツールを用いてフォルダＦＩ内の全ファイルを解析し、その解析後に得られるダンプリスト等の解析リストにおいて、文字列「ＦＦＤ８」、「ＦＦＤ９」、「４Ｄ４Ｄ００２Ａ」または「４９４９００２Ａ」を検出すれば、変換対象の「ＪＰＥＧ」または「ＴＩＦＦ」形式のファイルであるとし、そのファイルを変換すべきＣＭＹＫデータファイルＣとして特定し選択する（Ｓ２）。
【００３３】
色変換テーブル選択部６は、変換対象選択部８によって選択されたＣＭＹＫデータファイルＣのファイル名から識別子「ＢＡ」および「ＢＢ」を抽出し、データベース５に格納された上記参照テーブルＳＴを用いて、対応する色変換テーブルＴＢＡおよびＴＢＢを選択する（Ｓ３）。
【００３４】
そして、出力部７が、上記選択された色変換テーブルＴＢＡおよびＴＢＢをそれぞれ用い、上記ＣＭＹＫデータファイルＣをそれぞれ基準ＲＧＢデータファイルＲにデータ変換する（Ｓ４）。
【００３５】
出力部７は更に、フォルダＦＩにおけるＣＭＹＫデータファイルＣを、上記データ変換された基準ＲＧＢデータファイルＲに置き換えた構成を有するフォルダＦＯを出力する（Ｓ５）。
【００３６】
上記のように構成された画像変換システム１１によれば、変換すべきＣＭＹＫデータファイルＣと変換対象外のファイルＸとがフォルダＦＩ内に混在して格納されていても、フォルダＦ１をそのまま入力部４に入力することで、自動的に、変換すべきＣＭＹＫデータファイルＣのみを選択し、それらを確実に基準ＲＧＢデータファイルＲに変換することができる。また、フォルダＦＩにおけるＣＭＹＫデータファイルＣを、変換後の基準ＲＧＢデータファイルＲに置き換えた構成（変換前のデータファイルＣが格納されていた場所に変換後のデータファイルＲが格納された状態）を有するフォルダＦＯを出力することができる。そのため、フォルダＦＩ内に種々のファイルが整然と格納されていた状態を維持しつつ、データ変換のみを行って出力することができ、変換前のフォルダ構成を再現すべくファイルを再整理する必要がない。
【００３７】
以上、具体例を例示しつつ、本発明による画像変換システムの実施形態について説明したが、これらの具体例に限定されるものではない。
変換対象のＣＭＹＫデータファイルは、ＣＭＹＫデータファイルがとり得るファイル形式であればよく、例えば「ＥＰＳ」や「ＰＤＦ」等であってもよい。
また、ファイル名に含まれている識別子のビット数および位置は、適宜設定することができ、本画像変換システムのユーザーが自由に設定できるようになされていてもよい。
また、変換後の基準ＲＧＢデータファイルに、変換済みであることを示す署名データを埋め込んでもよい。この場合、基準ＲＧＢデータファイルに変換した後の編集作業、例えばトリミング、サイズ変更、および明度やコントラストの調整等を行う際、その署名データによって編集対象を識別して、自動で編集まで行うシステムを構成することもできる。
また、変換後の基準ＲＧＢデータファイルをフォルダに格納して出力する際、入力されたフォルダのファイル構成とは異なる構成を有するフォルダに、それを格納して出力してもよい。
【００３８】
また、本発明による画像変換プログラムをＣＤ−ＲＯＭ等の記録媒体に予め格納しておき、その記録媒体からパーソナルコンピュータ等にプログラムを読み込ませ、そのプログラムを実行することにより、上と同様のシステムを実現することができる。
以下、本発明による画像変換プログラムについて説明する。
【００３９】
本発明による画像変換プログラムは、コンピュータに対し、まず、それぞれそのファイル名中に識別子Ｓを含んだ複数のＣＭＹＫデータファイルＣの入力を受ける手順を実行させる。次に、そのＣＭＹＫデータファイルのファイル名から識別子Ｓを抽出し、その識別子Ｓに基づいて、データベース５から関連する色変換テーブルＴを選択する手順を実行させる。そして、その色変換テーブルＴを用い、ＣＭＹＫデータファイルＣを基準ＲＧＢデータファイルＲに変換して出力する手順を実行させ、上記画像変換システム１によるものと同じ画像変換を実現させる。
【００４０】
また、変換すべき複数のＣＭＹＫデータファイルＣがそれぞれ、そのファイル形式を示す文字列を有し、かつそのファイル名中に識別子Ｓを有しており、変換対象外のデータファイルＸと共に階層構造を形成しつつ第１のフォルダＦＩ内に格納されている場合、本発明による画像変換プログラムは、コンピュータに対し、まず、第１のフォルダＦＩの入力を受ける手順を実行させる。次に、その第１のフォルダＦＩ内の全データファイルを解析し、上記文字列を含むデータファイルを、変換すべきＣＭＹＫデータファイルＣとして選択する手順を実行させる。次に、そのＣＭＹＫデータファイルＣのファイル名から識別子Ｓを抽出し、その識別子Ｓに基づいて、データベース５から関連する色変換テーブルＴを選択する手順を実行する。そして、その色変換テーブルＴを用い、ＣＭＹＫデータファイルＣを基準ＲＧＢデータファイルＲに変換し、かつ、第１のフォルダＦＩにおけるＣＭＹＫデータファイルＣを当該基準ＲＧＢデータファイルＲに置き換えたものからなる第２のフォルダＦＯを出力する手順を実行させ、上記画像変換システム１１によるものと同じ画像変換を実現させる。
【図面の簡単な説明】
【００４１】
【図１】実施形態１にかかる画像変換システムを示すブロック図である。
【図２】実施形態１にかかる画像変換方法を示すフロー図である。
【図３】本実施形態にかかる、識別子と色変換テーブルとの対応関係を規定した参照テーブルを示す図である。
【図４】実施形態２にかかる画像変換システムを示すブロック図である。
【図５】実施形態２において入力されるフォルダの階層構造を示す図である。
【図６】実施形態２にかかる画像変換方法を示すフロー図である。
【符号の説明】
【００４２】
Ｃ  ＣＭＹＫデータファイル
Ｒ  基準ＲＧＢデータファイル
１  画像変換システム
２  印刷機
３  基準ディスプレイ
４  入力部
５  データベース
６  色変換テーブル選択部
７  出力部
【図１】
2006333173.tif 000003
【図２】
2006333173.tif 000004
【図３】
2006333173.tif 000005
【図４】
2006333173.tif 000006
【図５】
2006333173.tif 000007
【図６】
2006333173.tif 000008